(57)【要約】【課題】動物用のトリミングテーブルに固定されるリードパイプが、不用意に大きく下降してしまうのを防止する。【解決手段】トリミングテーブル1に設置されるリードパイプ10の支柱部分10aに安全装置20が取り付けられている。安全装置20は、典型例が天然又は合成ゴムである弾性材料からなる環状のストッパ部材22で構成されている。ストッパ部材22は、その内周面22aが、リードパイプ10の支柱部分10aの外周面の断面形状と相補的な形状を有し、ストッパ部材22の内周面22aの径は、リードパイプ10の支柱部分10aａの外径よりも若干小さく設定されている。【選択図】図3
2011030515.tif 000002
【特許請求の範囲】
【請求項１】
動物用トリミングテーブルに固定手段を介して脱着可能に固定されるリードパイプであって、前記固定手段に支持されて垂直方向に延びる支柱部分と、該支柱部分の上端から横方向に延び且つ前記トリミングテーブルにのせた動物のリードの端を係止することのできるリード係止部分とを有するリードパイプにおいて、
前記リードパイプの前記リード係止部分の高さ位置を調整するために前記固定手段に設けられ、前記支柱部分の支持を弛めたり該支持部分を固定するために人間が操作することのできる操作部材と、
前記支柱部分に嵌装された環状のストッパ部材とを有し、
該ストッパ部材は、少なくともその内周面が弾性材料で構成され、該ストッパ部材の内周面と前記支柱部分の外周面との摩擦係合によって該ストッパ部材が前記支柱部分に位置固定されていることを特徴とする安全装置付きリードパイプ。
【請求項２】
前記ストッパ部材が、周方向に連続して延びる環状の形状を有する、請求項１に記載の安全装置付きリードパイプ。
【請求項３】
前記ストッパ部材の全体が弾性材料で作られている、請求項１又は２に記載の安全装置付きリードパイプ。
【発明の詳細な説明】
【技術分野】
【０００１】
本発明は、動物用トリミングテーブルに固定されるリードパイプに関し、より詳しくは、リードパイプが不用意に大きく下降してしまうのを防止する安全装置付きのリードパイプに関する。
【背景技術】
【０００２】
ペットブームの昨今、犬や猫などのペットのための美容室では、ペットの毛や爪のカット、耳掃除、ブラッシングなどを行うのにトリミングテーブルが用いられている（特許文献１）。トリミングテーブルは、トリマーが立った姿勢でペットを世話することのできる高さに位置決め可能な天板を有し、この天板からペットが脱落するのを防止するために、天板にリードパイプが脱着可能に取り付けられる。
【０００３】
このリードパイプは、アーム棒とも呼ばれているが、一般的には、万力を使ってトリミングテーブルの天板に固定される。リードパイプは、天板から垂直に起立する支柱部分と、支柱部分の上端で屈曲して水平方向に延びるリード係止部分とを備えた逆Ｌ字状の形状を有し、ペットのリードの端をリード係止部分に係止することができる。
【０００４】
万力は、リードパイプの支柱部分を挿入可能なパイプ支持部及びハンドル又はノブを有し、このハンドル又はノブを操作することでリードパイプを位置固定することできるようになっている。
【先行技術文献】
【特許文献】
【０００５】
【特許文献１】特開２００４−２９８１５１号公報
【発明の概要】
【発明が解決しようとする課題】
【０００６】
上述したように、リードパイプを支える万力は、リードパイプを位置固定するためのハンドル又はノブを有し、このハンドル又はノブを操作して、リードパイプ（支柱部分）を固定する位置を変えることでリード係止部の高さ位置を調整することができる。
【０００７】
しかし、例えばハンドル又はノブに身体が触れたりすることでリードパイプの支持が弛んだときには、リードパイプの支柱部分が一気に下降してしまう可能性を含んでいる。このような状態が発生したときには、トリミング中のペットが驚き、そして騒ぎ出して事故に繋がってしまう虞がある。また、ペットのトリミングに飼い主が同伴することもあるが、飼い主が従来のリードパイプ付きトリミングテーブルを見たときに、そのような可能性を感じて不安に思ってしまう可能性がある。
【０００８】
本発明の目的は、動物用のトリミングテーブルに固定されるリードパイプが、不用意に大きく下降してしまうのを防止することのできるリードパイプを提供することにある。
【課題を解決するための手段】
【０００９】
上記の技術的課題は、本発明によれば、
動物用トリミングテーブルに固定手段を介して脱着可能に固定されるリードパイプであって、前記固定手段に支持されて垂直方向に延びる支柱部分と、該支柱部分の上端から横方向に延び且つ前記トリミングテーブルにのせた動物のリードの端を係止することのできるリード係止部分とを有するリードパイプにおいて、
前記リードパイプの前記リード係止部分の高さ位置を調整するために前記固定手段に設けられ、前記支柱部分の支持を弛めたり該支持部分を固定するために人間が操作することのできる操作部材と、
前記支柱部分に嵌装された環状のストッパ部材とを有し、
該ストッパ部材は、少なくともその内周面が弾性材料で構成され、該ストッパ部材の内周面と前記支柱部分の外周面との摩擦係合によって該ストッパ部材が前記支柱部分に位置固定されていることを特徴とする安全装置付きリードパイプを提供することにより達成される。
【００１０】
本発明によれば、リードパイプの支柱部分にストッパ部材を嵌装し、このストッパ部材が支柱部分の外周面に対して摩擦係合していることから、ストッパ部材を任意の位置に位置決めすることができる。例えば、リードパイプを支持する固定手段（典型例は万力）に着座した状態でストッパ部材を位置決めすることで、万が一、固定手段によるリードパイプの支持が弛んだとしても、ストッパ部材によってリードパイプが下降するのを防止することができる。これにより、従来のリードパイプでは、固定手段によるリードパイプの支持が弛んだときに、リードパイプが大きく下降してしまう可能性を含み、もしこのような事態が発生したときには、トリミングテーブル上の動物(ペットの犬や猫）が驚いて騒ぎ出す可能性を含んでいたが、その可能性を本発明により無くすることができる。
【００１１】
このストッパ部材は、外部から一目見るだけで、その存在を認識することができる。したがって、ペットのトリミングを依頼する飼い主やトリミング中のペットを観察したいという飼い主は、ストッパ部材の存在を目にすることで、このリードパイプは安全性が確保されていることストッパ部材の存在によって知ることができるため、飼い主に安心感を与えることができる。
【００１２】
ストッパ部材は、その内周面が、リードパイプの支柱部分の外周面と相補的な形状を有しているが、ストッパ部材の外周面の形状は任意である。また、好ましい実施の形態では、ストッパ部材は、その上面及び下面は互いに平行な平らな面で構成されているが、これに限定されず、断面アーチ状の凸面で構成してもよい。
【００１３】
また、ストッパ部材は、典型例では、周方向に連続して延びる環状の形状を有しているが、一部を切り欠いた環状の形状を有していてもよい。
【図面の簡単な説明】
【００１４】
【図１】動物用トリミングテーブル及びこれに脱着可能に固定されたリードパイプを示す斜視図である。
【図２】本発明の実施例の安全装置をリードパイプに適用した要部拡大図である。
【図３】図２のII−II線に沿った断面図である。
【図４】安全装置の第１変形例を示す、図３に対応する断面図である。
【図５】安全装置の第２変形例を示す、図３に対応する断面図である。
【図６】周方向の一部を切り欠いた環状の形状を備えた第３変形例の斜視図である。
【発明を実施するための形態】
【実施例】
【００１５】
以下に、添付の図面に基づいて本発明の好ましい実施例を説明する。
【００１６】
図１は、リードパイプを装着した動物用トリミングテーブルと、これに適用された実施例の安全装置を示す図である。図１を参照して、参照符号１は、トリミングテーブルを示す。トリミングテーブル１は、脚部２と、この脚部２の上端に設置された天板４とを有し、脚部２に設置されたハンドル６を操作することにより天板４の高さレベルを調整することができる。
【００１７】
図１の参照符号１０はリードパイプを示す。リードパイプ１０は、従来と同様に、万力１２によって位置固定される。すなわち、リードパイプ１０は、垂直方向に延びる支柱部分１０ａと、この支柱部分１０ａの上端から屈曲して水平方向に延びるリード係止部分１０ｂとを備えた逆Ｌ字状の形状を有し、この実施例では、リードパイプ１０は断面円形の一本のパイプ部材を曲げ加工することにより作られている。勿論、リードパイプ１０の断面形状は任意であり、従来から知られている断面矩形であってもよい。
【００１８】
リードパイプ１０の位置固定のための万力１２は従来から既知であるので、その詳しい説明は省略するが、万力１２に含まれる図外のハンドルを操作することでリードパイプ１０を天板４の周縁部の任意の箇所に設置することができる。
【００１９】
万力１２は、リードパイプ１０の高さ位置を固定するための操作部材であるノブ１４を有し、このノブ１４を回転させてリードパイプ１０(支柱部分１０ａ)の支持を弛めることで、支柱部分１０ａを上下に変位させることができる。勿論、ノブ１４を逆方向に回転させることで、支柱部分１０ａの高さ位置を固定できる。
【００２０】
リードパイプ１０の上端で水平方向に延びるリード係止部分１０ｂには、上方に延びる複数のフック１６が用意されている。犬などのペットのトリミングを行うときには、トリミングテーブル１にペットをのせた後に、ペット（図示せず）のリード１８の端を上記のフック１６に係止することができる。
【００２１】
リードパイプ１０の支柱部分１０ａには安全装置２０が取り付けられている。図２は支柱部分１０ａの部分拡大図であり、図３は、図２のIII−III線に沿った断面図である。
【００２２】
安全装置２０は、典型例が天然又は合成ゴムである弾性材料からなる環状のストッパ部材２２で構成されている。このストッパ部材２２は、厚みを有し且つ上面と下面とが互い平行な平らな面を備えたドーナツ状の形状を備えた成形品である。ストッパ部材２２は、その内周面２２ａが、リードパイプ１０の支柱部分１０ａの外周面の断面形状と相補的な形状を有している。この実施例では、リードパイプ１０は、支柱部分１０ａ及びリード係止部分１０ｂが一本の断面円形パイプで構成されていることから、ストッパ部材２２の内周面２２ａは断面円形の輪郭を有している。ストッパ部材２２の外周面２２ｂは、内周面２２ａと同心の断面円形の形状を有しているが、この外周面２２ｂの断面形状は任意である。
【００２３】
ストッパ部材２２の内周面２２ａの径は、リードパイプ１０の支柱部分１０ａの外径よりも若干小さく設定されており、これにより、ストッパ部材２２はリードパイプ１０にきつく嵌合した状態になり、ストッパ部材２２の内周面２２ａとリードパイプ１０の外周面との摩擦係合によってストッパ部材２２が位置固定される。したがって、ストッパ部材２２はリードパイプ１０の支柱部分１０ａに沿って上下に変位させることができるが、ストッパ部材２２を変位させるには強い力が必要である。
尚、ストッパ部材２２の内周面２２ａは、図３では内筒形状であるが、変形例として、波形断面の内周面２２ａであってもよい。
【００２４】
ストッパ部材２２は、リードパイプ１０を万力１２に挿入する前にリードパイプ１０の支柱部分１０ａの下端から装着される。万力１２のノブ１４を操作してリードパイプ１０の高さを調整したときには、支柱部分１０ａに嵌装したストッパ部材２２を万力１２の上方且つ万力１２に隣接する位置又は万力１２に着座する位置となるように位置決めされる。これにより、何らかの原因でノブ１４に触れてノブ１４による締め付けが弛んだとしても、リードパイプ１０は、ストッパ部材２２が万力１２によって係止されるため、支柱部分１０ａが下方に大きく下降するのを防止するストッパとして機能することができる。また、ストッパ部材２２は弾性部材で構成されているため、ストッパ部材２２が万力１２と衝突しても大きな音を発することもない。
【００２５】
したがって、トリミング中に上述した問題が発生したとしても、リードパイプ１０が大きく下降することがないため、ペットが驚いて暴れてしまうのを防止することができるだけでなく、飼い主もリードパイプ１０に装着されているストッパ部材２２を見るだけで安全性を認識することができるため、飼い主も安心してトリマーにペットを預けることができる。
【００２６】
図４〜図６は変形例を示す。本発明の安全装置２０は、図４に示すように、環状の本体２４と、この本体２４の内周側に配設された第１の弾性部材２６とを一体化した構造を有していてもよい。また、好ましくは、本体２４の下面側に配設した第２の弾性部材２８を更に含む構造であってもよい。
【００２７】
第１の弾性部材２６はリードパイプ１０との摩擦係合のための部材であり、第２の弾性部材２８は、万力１２との間のクッション材の役割を担う。図５の例は、環状の本体２４と、その内周側の第１の弾性部材２６とで構成した例を示す。この場合、任意であるが、万力１２の上に弾性体（クッション材）を配設するようにしてもよい。
【００２８】
図６は、平面視六角形の形状に形作ったストッパ部材３０を示す。このように本発明の安全装置２０は、その外形輪郭の形状は任意である。この図６は、また、本発明の安全装置２０に関して、その環状形状は、切欠き部分３２を含む形状であってもよいことを示す図である。このことは、図４、図５に示した安全装置についても切欠き部分３２を備えた環状の形状を採用してもよいのは勿論である。すなわち、本発明の安全装置は、周方向に連続した環状の形状であってもよいし、周方向の一部に切欠き部分３２(図６)を備えた環状の形状であってもよい。
【符号の説明】
【００２９】
１    トリミングテーブル
２    脚部
４    天板
１０    リードパイプ
１０ａ  支柱部分
１０ｂ  リード係止部分
１２    万力
１４    ノブ
１８    リード
２０    安全装置
２２    ストッパ部材
２２ａ  ストッパ部材の内周面
【図１】
2011030515.tif 000003
【図２】
2011030515.tif 000004
【図３】
2011030515.tif 000005
【図４】
2011030515.tif 000006
【図５】
2011030515.tif 000007
【図６】
2011030515.tif 000008